(57)【要約】  水分量センサ（１）は、水による吸収が所定値よりも大きな第一波長帯を含む検知光と、水による吸収が所定値以下である第二波長帯を含む参照光とを、光として路面（Ｓ）に向けて発する発光部（２０）と、路面（Ｓ）によって反射された検知光を受光し、第一電気信号に変換する第一受光部（３３）と、路面（Ｓ）によって反射された参照光を受光し、第二電気信号に変換する第二受光部（４３）と、第一電気信号及び第二電気信号の信号比に基づいて、路面（Ｓ）が含む水分量を検出する演算処理部（５６）と、を備え、演算処理部（５６）は、第一電気信号及び第二電気信号の少なくとも一方の信号強度が、基準値を基準とした所定の範囲内にある場合の信号比に基づいて、水分量を検出する。
2019044252.tif 000002
【特許請求の範囲】
【請求項１】
路面に対して光を発し、当該路面からの反射光に基づいて前記路面の水分量を検出する水分量センサであって、
水による吸収が所定値よりも大きな第一波長帯を含む検知光と、水による吸収が前記所定値以下である第二波長帯を含む参照光とを、前記光として前記路面に向けて発する発光部と、
前記路面によって反射された前記検知光を受光し、第一電気信号に変換する第一受光部と、
前記路面によって反射された前記参照光を受光し、第二電気信号に変換する第二受光部と、
前記第一電気信号及び前記第二電気信号の信号比に基づいて、前記路面が含む水分量を検出する演算処理部と、を備え、
前記演算処理部は、前記第一電気信号及び前記第二電気信号の少なくとも一方の信号強度が、基準値を基準とした所定の範囲内にある場合の前記信号比に基づいて、前記水分量を検出する
水分量センサ。
【請求項２】
前記演算処理部は、前記第一電気信号及び前記第二電気信号の少なくとも一方の信号強度が、前記所定の範囲内にある場合の前記信号比の平均値に基づいて、前記水分量を検出する
請求項１に記載の水分量センサ。
【請求項３】
前記演算処理部は、前記第二電気信号の信号強度が前記所定の範囲内にある場合の前記信号比に基づいて、前記水分量を検出する
請求項１または２に記載の水分量センサ。
【請求項４】
前記演算処理部には、前記第一電気信号及び前記第二電気信号の少なくとも一方の信号強度が前記所定の範囲外となる範囲外時間帯と水分量との関係から前記路面上の危険度を判断するための危険度テーブルが備えられており、
前記演算処理部は、前記範囲外時間帯を算出して、当該範囲外時間帯と、検出した前記水分量と、前記危険度テーブルとに基づいて、前記危険度を判断する
請求項１〜３のいずれか一項に記載の水分量センサ。
【請求項５】
前記水分量センサの周囲の温度を検出する温度センサを備え、
前記演算処理部には、前記第一電気信号及び前記第二電気信号の少なくとも一方の信号強度が、所定の時間内において前記所定の範囲外となる頻度と温度との関係から前記路面上の温度を判断するための温度テーブルが備えられており、
前記演算処理部は、前記頻度を算出して、当該頻度と、前記温度センサが検出した温度と、前記温度テーブルとに基づいて、前記路面上の温度を推定する
請求項１〜４のいずれか一項に記載の水分量センサ。
【請求項６】
前記演算処理部は、推定した前記路面上の温度に基づいて、当該路面に含まれる水の状態を判断する
請求項５に記載の水分量センサ。
【請求項７】
請求項１〜６のいずれか一項に記載の水分量センサと、
前記水分量センサで検出された前記水分量に基づく情報を表示する表示部とを備える
路面状態検出装置。
【発明の詳細な説明】
【技術分野】
【０００１】
本発明は、水分量センサ及び路面状態検出装置に関する。
【背景技術】
【０００２】
従来、水分量センサとしては、例えば、水分による赤外線の吸収を利用して、水分量を測定する赤外線水分計が知られている（例えば、特許文献１参照）。
【先行技術文献】
【特許文献】
【０００３】
【特許文献１】特開平５−１１８９８４号公報
【発明の概要】
【発明が解決しようとする課題】
【０００４】
ところで、路面上の状態を検出するために、水分量センサで路面上の水分量を検出することも検討されるが、例えば路面上を走行する自動車などの移動体によって、赤外線が遮られることもあり、検出結果に正確性を欠くのが実状である。【０００５】
そこで、本発明の目的は、路面上を移動する移動体の影響を抑制して、検出結果の正確性を高めることができる水分量センサ及び路面状態検出装置を提供することである。
【課題を解決するための手段】
【０００６】
上記目的を達成するため、本発明の一態様に係る水分量センサは、路面に対して光を発し、当該路面からの反射光に基づいて路面の水分量を検出する水分量センサであって、水による吸収が所定値よりも大きな第一波長帯を含む検知光と、水による吸収が前記所定値以下である第二波長帯を含む参照光とを光として路面に向けて発する発光部と、路面によって反射された検知光を受光し、第一電気信号に変換する第一受光部と、路面によって反射された参照光を受光し、第二電気信号に変換する第二受光部と、第一電気信号及び第二電気信号の信号比に基づいて、路面が含む水分量を検出する演算処理部と、を備え、演算処理部は、第一電気信号及び第二電気信号の少なくとも一方の信号強度が、基準値を基準とした所定の範囲内にある場合の信号比に基づいて、前記水分量を検出する。【０００７】
また、本発明の一態様に係る路面状態検出装置は、上記水分量センサと、水分量センサで検出された水分量に基づく情報を表示する表示部とを備える。
【発明の効果】
【０００８】
本発明に係る水分量センサ及び路面状態検出装置は、路面上を移動する移動体の影響を抑制して、測定結果の正確性を高めることができる。
【図面の簡単な説明】
【０００９】
【図１】図１は実施の形態に係る路面状態検出装置の概略構成を示す模式図である。
【図２】図２は、実施の形態に係る路面状態検出装置の制御ブロック図である。
【図３】図３は、実施の形態に係る水分量センサの構成と路面とを示す模式図である。
【図４】図４は、実施の形態に係る水分量センサの制御構成を示すブロック図である。
【図５】図５は、水分と水蒸気との吸光スペクトルを示す図である。
【図６】図６は、実施の形態に係る水分量センサの直下に車両が存在していない状態を示す説明図である。
【図７】図７は、実施の形態に係る水分量センサの直下を車両が通過する状態を示す説明図である。
【図８】図８は、実施の形態に係る参照光を起因とした第二電気信号の信号強度変化を示すグラフである。
【図９】図９は、実施の形態の危険度テーブルを作成するための基準となるイメージ図である。
【発明を実施するための形態】
【００１０】
以下では、本発明の実施の形態に係る水分量センサ及び路面状態検出装置について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１２】
（実施の形態）
［路面状態検出装置］
まず、実施の形態に係る路面状態検出装置１００について説明する。
【００１３】
図１は実施の形態に係る路面状態検出装置１００の概略構成を示す模式図である。図１に示すように、路面状態検出装置１００は、路側帯に設置された一対の支柱２００、２０１に対して設けられている。具体的には、路面状態検出装置１００は、水分量センサ１と、表示部１１０とを備えている。
【００１４】
水分量センサ１は、支柱２００の上部から車道の上方に延び出された支持部２１０に対して取り付けられている。水分量センサ１は、車道の路面Ｓ上の水分量を検出する光学式のセンサである。水分量センサ１は、その直下の路面Ｓに向けて参照光及び検知光を照射するように配置されている。
【００１５】
表示部１１０は、支柱２００よりも進行方向の先方に配置された支柱２０１に設置されている。表示部１１０は、支柱２０１の上部から車道の上方に延び出された支持部２１１に対して取り付けられている。表示部１１０は、種々の情報を表示する例えば電光掲示板である。
【００１６】
図２は、実施の形態に係る路面状態検出装置１００の制御ブロック図である。図２に示すように、路面状態検出装置１００には、水分量センサ１及び表示部１１０を制御する制御部１２０が設けられている。制御部１２０は、例えばマイクロコントローラで構成されている。制御部１２０は、水分量センサ１及び表示部１１０を制御するための処理プログラムが格納された不揮発性メモリ、プログラムを実行するための一時的な記憶領域である揮発性メモリ、入出力ポート、プログラムを実行するプロセッサなどを有する。具体的には、制御部１２０は、水分量センサ１で検出された水分量に基づく情報を表示部１１０に表示させる。これにより、車道上を走行する車両Ｖの運転者に対して、路面Ｓの水分量に基づく情報を表示部１１０から報知することができる。
【００１７】
［水分量センサ］
次に、実施の形態に係る水分量センサ１の概要について説明する。
【００１８】
図３は、実施の形態に係る水分量センサ１の構成と路面Ｓとを示す模式図である。図４は、実施の形態に係る水分量センサ１の制御構成を示すブロック図である。
【００１９】
水分量センサ１は、路面Ｓに対して光を発し、当該路面Ｓからの反射光に基づいて路面Ｓの水分量を検出する水分量センサである。
【００２０】
本実施の形態では、図３及び図４に示すように、水分量センサ１は、空間３を隔てて存在する路面Ｓに含まれる水分量を検出する。「路面Ｓに含まれる水分量」は、路面Ｓ上に溜まった水分と、路面Ｓの表面部分に浸透した水分とを含む。
【００２１】
水分量センサ１は、筐体１０と、発光部２０と、第一受光モジュール３０と、第二受光モジュール４０と、温度センサ６０と、信号処理回路５０とを備えている。
【００２２】
以下では、水分量センサ１の各構成要素について詳細に説明する。
【００２３】
［筐体］
筐体１０は、路面状態検出装置１００における筐体であり、発光部２０と、第一受光モジュール３０と、第二受光モジュール４０と、信号処理回路５０とを収容している。筐体１０は、遮光性の材料から形成されている。これにより、外光が筐体１０内に入射するのを抑制することができる。具体的には、筐体１０は、第一受光モジュール３０と第二受光モジュール４０とが受光する光に対して遮光性を有する樹脂材料又は金属材料から形成されている。
【００２４】
筐体１０の外壁には、複数の開口が設けられており、これらの開口に、発光部２０のレンズ２１と、第一受光モジュール３０のレンズ３１とが取り付けられている。
【００２５】
［発光部］
発光部２０は、水による吸収が所定値よりも大きな第一波長帯を含む検知光と、水による吸収が所定値以下である第二波長帯を含む参照光とを路面Ｓに向けて発する発光部である。具体的には、発光部２０は、レンズ２１と、光源２２とを備えている。
【００２６】
レンズ２１は、光源２２が発した光を、路面Ｓに対して集光する集光レンズである。レンズ２１は、樹脂製の凸レンズであるが、これに限らない。
【００２７】
光源２２は、検知光をなす第一波長帯と参照光をなす第二波長帯とを含み、ピーク波長が第二波長帯側にある連続した光を発するＬＥＤ（Ｌｉｇｈｔ  Ｅｍｉｔｔｉｎｇ  Ｄｉｏｄｅ）光源である。具体的には、光源２２は、化合半導体からなるＬＥＤ光源である。
【００２８】
図５は、水分と水蒸気との吸光スペクトルを示す図である。図５に示すように、水分は、約１４５０ｎｍ及び約１９４０ｎｍの波長に吸収ピークを有する。水蒸気は、水分の吸収ピークよりやや低い波長、具体的には約１３５０ｎｍ〜１４００ｎｍ及び約１８００ｎｍ〜１９００ｎｍの波長に吸収ピークを有する。
【００２９】
このため、検知光をなす第一波長帯としては、水の吸光度が高い波長帯を選択し、参照光をなす第二波長帯としては、第一波長帯よりも水の吸光度が小さい波長帯を選択する。そして、一例としては、第二波長帯の平均波長は、第一波長体の平均波長よりも長くする。また、光学的なバンドパスフィルタの最大透過率の半値である波長の中心値で定義される中心波長に関して、例えば第一波長帯の中心波長は１４５０ｎｍとし、第二波長帯の中心波長は１７００ｎｍとする。
【００３０】
このように、光源２２が、第一波長帯と第二波長帯とを連続して含む光を照射するので、路面Ｓには、水による吸収が大きな第一波長帯を含む検知光と、水による吸収が第一波長帯よりも小さい第二波長帯を含む参照光が照射される。
【００３１】
［第一受光モジュール］
図３に示すように第一受光モジュール３０は、レンズ３１と、第一バンドパスフィルタ３２と、第一受光部３３とを備えている。
【００３２】
レンズ３１は、路面Ｓによって反射された反射光を第一受光部３３に集光するための集光レンズである。レンズ３１は、例えば、焦点が第一受光部３３の受光面に位置するように筐体１０に固定されている。レンズ３１は、例えば、樹脂製の凸レンズであるが、これに限らない。
【００３３】
第一バンドパスフィルタ３２は、反射光から第一波長帯の光を抽出するバンドパスフィルタである。具体的には、第一バンドパスフィルタ３２は、レンズ３１と、第一受光部３３との間に配置されており、レンズ３１を透過して第一受光部３３に入射する反射光の光路上に設けられている。また、第一バンドパスフィルタ３２は、レンズ３１の光軸に対して傾いて配置されている。これにより、第一バンドパスフィルタ３２は、第一波長帯の光を透過するとともに、それ以外の波長帯の光を反射する。
【００３４】
第一受光部３３は、路面Ｓによって反射され、第一バンドパスフィルタ３２を透過した第一波長帯の光を受光し、第一電気信号に変換する受光素子である。第一受光部３３は、受光した第一波長帯の光を光電変換することで、当該光の受光量（すなわち、強度）に応じた第一電気信号を生成する。生成された第一電気信号は、信号処理回路５０に出力される。第一受光部３３は、例えば、フォトダイオードであるが、これに限定されない。例えば、第一受光部３３は、フォトトランジスタ、又は、イメージセンサでもよい。
【００３５】
［第二受光モジュール］
第二受光モジュール４０は、第二バンドパスフィルタ４２と、第二受光部４３とを備えている。
【００３６】
第二バンドパスフィルタ４２は、第一バンドパスフィルタ３２で反射された光から第二波長帯の光を抽出するバンドパスフィルタである。具体的には、第二バンドパスフィルタ４２は、第一バンドパスフィルタ３２と、第二受光部４３との間に配置されており、第一バンドパスフィルタ３２を透過して第二受光部４３に入射する光の光路上に設けられている。そして、第二バンドパスフィルタ４２は、第二波長帯の光を透過し、かつ、それ以外の波長帯の光を吸収する。
【００３７】
第二受光部４３は、路面Ｓによって反射され、第二バンドパスフィルタ４２を透過した第二波長帯の光を受光し、第二電気信号に変換する受光素子である。第二受光部４３は、受光した第二波長帯の光を光電変換することで、当該光の受光量（すなわち、強度）に応じた第二電気信号を生成する。生成された第二電気信号は、信号処理回路５０に出力される。第二受光部４３は、第一受光部３３と同形の受光素子である。つまり、第一受光部３３がフォトダイオードである場合には、第二受光部４３もフォトダイオードである。
【００３８】
［温度センサ］
温度センサ６０は、水分量センサ１の周囲の温度を検出する温度センサである。具体的には、温度センサ６０は、筐体１０の外側面に取り付けられており、筐体１０外の外気温を検出する。なお、温度センサ６０は筐体１０内に収容されていてもよい。温度センサ６０は、信号処理回路５０の演算処理部５６に電気的に接続されており、検出結果を演算処理部５６に出力する。
【００３９】
［信号処理回路］
信号処理回路５０は、発光部２０の光源２２を点灯制御するとともに、第一受光部３３及び第二受光部４３から出力された第一電気信号及び第二電気信号を処理することで、水分量を演算する回路である。
【００４０】
信号処理回路５０は、筐体１０に収容されていてもよく、又は、筐体１０の外側面に取り付けられていてもよい。あるいは、信号処理回路５０は、無線通信などの通信機能を有し、第一受光部３３からの第一電気信号、第二受光部４３からの第二電気信号及び温度センサ６０からの検出結果を受信してもよい。
【００４１】
具体的には、図４に示すように、信号処理回路５０は、光源制御部５１、第一増幅部５２、第二増幅部５３、第一信号処理部５４、第二信号処理部５５及び演算処理部５６を備えている。
【００４２】
光源制御部５１は、駆動回路及びマイクロコントローラで構成される。光源制御部５１は、光源２２の制御プログラムが格納された不揮発性メモリ、プログラムを実行するための一時的な記憶領域である揮発性メモリ、入出力ポート、プログラムを実行するプロセッサなどを有する。
【００４３】
光源制御部５１は、光源２２の点灯及び消灯が所定の発光周期で繰り返されるように、光源２２を制御する。具体的には、光源制御部５１は、所定の周波数（例えば、１ｋＨｚ）のパルス信号を光源２２に出力することで、光源２２を所定の発光周期で点灯及び消灯させる。
【００４４】
第一増幅部５２は、第一受光部３３が出力した第一電気信号を増幅して第一信号処理部５４に出力する。具体的には、第一増幅部５２は、第一電気信号を増幅するオペアンプである。
【００４５】
第一信号処理部５４は、マイクロコントローラで構成される。第一信号処理部５４は、第一電気信号に対する処理プログラムが格納された不揮発性メモリ、プログラムを実行するための一時的な記憶領域である揮発性メモリ、入出力ポート、プログラムを実行するプロセッサなどを有する。第一信号処理部５４は、第一電気信号に対して、通過帯域制限を行うとともに当該通過帯域制限による位相遅延を補正してから、光源２２の発光周期との乗算処理を施す。この第一電気信号に対する処理は、いわゆるロックインアンプ処理である。これにより、外乱光に基づくノイズを第一電気信号から抑制することが可能である。
【００４６】
第二増幅部５３は、第二受光部４３が出力した第二電気信号を増幅して第二信号処理部５５に出力する。具体的には、第二増幅部５３は、第二電気信号を増幅するオペアンプである。
【００４７】
第二信号処理部５５は、マイクロコントローラで構成される。第二信号処理部５５は、第二電気信号に対する処理プログラムが格納された不揮発性メモリ、プログラムを実行するための一時的な記憶領域である揮発性メモリ、入出力ポート、プログラムを実行するプロセッサなどを有する。第二信号処理部５５は、第二電気信号に対して、通過帯域制限を行うとともに当該通過帯域制限による位相遅延を補正してから、光源２２の発光周期との乗算処理を施す。この第二電気信号に対する処理は、いわゆるロックインアンプ処理である。これにより、外乱光に基づくノイズを第二電気信号から抑制することが可能である。
【００４８】
演算処理部５６は、第一受光部３３から出力された第一電気信号と、第二受光部４３から出力された第二電気信号とに基づいて、路面Ｓが含む水分を検出する。具体的には、演算処理部５６は、第一電気信号の電圧レベルと第二電気信号の電圧レベルとの比（信号比）に基づいて、路面Ｓが含む水分量を検出する。本実施の形態では、演算処理部５６は、第一信号処理部５４によって処理された第一電気信号と、第二信号処理部５５によって処理された第二電気信号とに基づいて、路面Ｓが含む水分量を検出する。具体的な水分量の検出処理については後で説明する。
【００４９】
ここで、水分量センサ１の直下に車両Ｖが存在しない場合と、水分量センサ１の直下を車両Ｖが通過する場合とでは、検知光及び参照光の信号強度に大きな違いが生ずる。図６は、実施の形態に係る水分量センサ１の直下に車両Ｖが存在していない状態を示す説明図である。この状態を第一状態と称す。また、図７は、実施の形態に係る水分量センサ１の直下を車両Ｖが通過する状態を示す説明図である。この状態を第二状態と称す。
【００５０】
図６に示すように、第一状態では、水分量センサ１から路面Ｓまでの距離Ｌ１を検知光及び参照光が往復する。一方、図７に示すように、第二状態では水分量センサ１から車両Ｖまでの距離Ｌ２を検知光及び参照光が往復する。このように、第一状態の方が第二状態よりも、検知光及び参照光それぞれの光路が長くなる。つまり、第一状態の方が第二状態よりも、検知光及び参照光のそれぞれは、水分量センサ１に戻ったときに弱まっている。したがって、検知光を起因とした第一電気信号と、参照光を起因とした第二電気信号とのそれぞれは、第一状態の方が第二状態よりも信号強度が小さくなる。
【００５１】
図８は、実施の形態に係る参照光を起因とした第二電気信号の信号強度変化を示すグラフである。図８では、第二電気信号を例示して図示しているが、第一電気信号においても概ね同様の結果となる。また、図８では、信号強度変化をパルス状の波形で表現したが、実際には、車両Ｖの形状に応じた波形となる。
【００５２】
図８に示すように、第一状態では第二電気信号の信号強度は小さく、第二状態では第二電気信号の信号強度は大きい。上述したように、第二状態では、水分量センサ１の直下を車両Ｖが通過している。つまり、第二状態での第二電気信号及び第一電気信号を水分量の検出に用いたとしても不正確となってしまう。このことから、水分量の基となる信号比を求める際には、第二状態での信頼性の低い第二電気信号及び第一電気信号を排除し、それ以外、つまり第一状態での信頼性の高い第二電気信号及び第一電気信号から信号比を求めればよい。
【００５３】
具体的には、第二状態での第二電気信号を排除するための基準値を予め決定しておく。この基準値は、第二状態での第二電気信号の信号強度よりも小さい値である。また、基準値を基準として、その±αの範囲を所定の範囲とする。所定の範囲は、第二状態での第二電気信号の信号強度を含まない範囲とする。
【００５４】
ここで、基準値及び所定の範囲の一例について説明する。
【００５５】
例えば、基準値は、路面Ｓから距離Ｌ１だけ離れた位置に水分量センサ１を設置した際の、第一状態における第二電気信号の強度とする。
【００５６】
ここで、光の強度は、光源からの距離の２乗に反比例することが知られている。このため、第一状態における第二電気信号の強度Ｅ１と、第二状態における第二電気信号の強度Ｅ２との関係は、以下の（式１）で表される。
【００５７】
（式１）  Ｅ２＝Ｅ１・Ｌ１２／Ｌ２２
【００５８】
例えば、距離Ｌ１を５ｍとし、距離Ｌ２の最大値を４．５ｍとした場合には、第二状態における第二電気信号の信号強度Ｅ２と、第一状態における第二電気信号の信号強度Ｅ１は、以下の（式２）で推定される。
【００５９】
（式２）  Ｅ２／Ｅ１＝Ｌ１２／Ｌ２２＝５２／４．５２≒１．２３
【００６０】
このように、第二状態における第二電気信号の信号強度Ｅ２は、第一状態における第二電気信号の信号強度Ｅ１よりも２３％ほど大きい値となる。この値に基づき、基準値に対して±２０％の範囲を所定の範囲とすればよい。また、余裕を持たせて、基準値に対して±１０％の範囲を所定の範囲とすることも可能である。
【００６１】
なお、基準値は、路面Ｓが含む水分量による影響を補正するために、検出した信号比に基づいて変動させてもよい。
【００６２】
その他、基準値及び所定の範囲については、種々の実験、シミュレーション、過去の第二電気信号の信号強度の履歴などによって適切な値を決定することが可能である。
【００６３】
演算処理部５６は、第二電気信号の信号強度が所定の範囲に収まっていれば、その時間帯が第一状態であったことを特定する。一方、演算処理部５６は、第二電気信号の信号強度が所定の範囲外となる場合には、その時間帯が第二状態であったことを特定する。第二状態の時間帯は、第二電気信号が所定の範囲外となる範囲外時間帯である。演算処理部５６は、範囲外時間帯を算出するとともに、所定の時間内において範囲外時間帯の頻度を算出する。１つの範囲外時間帯は、水分量センサ１の直下を車両Ｖが一台通過したことを示す。つまり、所定の時間内における範囲外時間帯の頻度は、所定の時間内での車両Ｖの通行量を示すこととなる。ここで「所定の時間」とは、車両Ｖの通行量を判断するための単位時間であり、分単位でも、時間単位でもよい。具体的には、所定の時間は数分間でもよいし、十数分間でもよいし、３０分でもよいし、数時間であってもよい。
【００６４】
また、本実施の形態では、第二電気信号の信号強度に基づいて、第一状態であるか第二状態であるかを判別する場合を例示した。これは、参照光の方が検知光よりも水の影響を受けにくいためである。具体的には、検知光を起因とした第一電気信号では、水の影響を受けるので、車両Ｖの有無に関係なく信号強度に変動が生じる。一方、参照光を起因とした第二電気信号では、水の影響を受けにくいために、車両Ｖの有無が如実に信号強度に反映される。つまり、第一状態であるか第二状態であるかの判別には、第二電気信号の方が適している。なお、第一状態であるか第二状態であるかの判別に、第一電気信号を用いることも可能であるし、第一電気信号及び第二電気信号の両者を用いることも可能である。
【００６５】
上記した説明では、第一状態の方が第二状態よりも、第一電気信号及び第二電気信号のそれぞれの信号強度が小さくなる場合を例示した。しかしながら、車両Ｖ表面の光の吸収率が、路面Ｓの光の吸収率よりも大幅に大きい場合も存在する。この場合、車両Ｖの表面で検知光及び参照光が大きく吸収されるので、第二状態の方が第一状態よりも、第一電気信号及び第二電気信号のそれぞれの信号強度が小さくなる。この場合も考慮して、基準値及び所定の範囲を決定することが望ましい。
【００６６】
演算処理部５６は、例えば、マイクロコントローラである。演算処理部５６は、信号処理プログラムが格納された不揮発性メモリ、プログラムを実行するための一時的な記憶領域である揮発性メモリ、入出力ポート、プログラムを実行するプロセッサなどを有する。
【００６７】
演算処理部５６の不揮発性メモリには、危険度テーブルと、温度テーブルとが記憶されている。
【００６８】
危険度テーブルは、範囲外時間帯と、水分量との関係から路面Ｓ上の危険度を判断するためのテーブルである。図９は、実施の形態の危険度テーブルを作成するための基準となるイメージ図である。範囲外時間帯は、車両Ｖが水分量センサ１の直下を通過する時間である。この範囲外時間帯は車両Ｖの速度を表す。つまり、範囲外時間帯が短いと車両Ｖの速度が速いため危険度が高く、範囲外時間帯が長いと車両Ｖの速度が遅いため危険度は低い。また、水分量が多いと路面Ｓが滑りやすいため危険度が高く、水分量が少ないと路面Ｓが滑りにくいため危険度は低い。図９では、この関係性を示しており、分割線Ｌ３で分割された領域のうち、図９でおける網掛け部分を危険度の高い部分とする。危険度テーブルは、この危険度の高い部分に含まれる範囲外時間及び水分量に基づいて作成されている。なお、危険度テーブルの具体的な値は、各種の実験、シミュレーション等によって求められる。演算処理部５６は、この危険度テーブルと、範囲外時間帯と、検出した水分量とに基づいて、路面Ｓ上の危険度を判断する。
【００６９】
温度テーブルは、所定の時間内における範囲外時間帯の頻度と、温度センサ６０が検出した水分量センサ１の周囲の温度との関係から、路面Ｓ上の温度を判断するためのテーブルである。上述したように、所定の時間内における範囲外時間帯の頻度は、所定の時間内での車両Ｖの通行量を示している。頻度が多いと、通行量も多いために、その摩擦によって路面Ｓの路面温度が高まる。つまり、温度センサ６０が検出した温度よりも、路面Ｓ上では高温となる。一方、頻度が少ないと、通行量も少ないために路面Ｓの温度上昇も小さい。つまり、路面Ｓ上の温度は、温度センサ６０が検出した温度と同程度となる。温度テーブルは、この関係性に基づいて、水分量センサ１の周囲の温度から路面Ｓ上の温度が推定できるように作成されている。なお、温度テーブルの具体的な値は、各種の実験、シミュレーション等によって求められる。演算処理部５６は、この温度テーブルと、所定の時間内における範囲外時間帯の頻度と、温度センサ６０の検出した温度とに基づいて、路面Ｓ上の温度を推定する。また、演算処理部５６は、推定した路面Ｓ上の温度に基づいて、路面Ｓに含まれる水の状態を判断する。具体的には、演算処理部５６は、推定した路面Ｓ上の温度が０度以下であれば、路面Ｓに含まれる水の状態を「固体」として判断し、当該温度が０度より大きければ、路面Ｓに含まれる水の状態を「液体」として判断する。
【００７０】
演算処理部５６は、路面Ｓ上の危険度と、水の状態とを、入出力ポートから制御部１２０に出力する。これにより、制御部１２０は、表示部１１０を制御して、水分量センサ１で検出された水分量に基づく情報を表示部１１０に表示させる。水分量に基づく情報には、路面Ｓ上の危険度、水の状態などが含まれる。
【００７１】
［水分量の検出処理］
続いて、演算処理部５６による水分量の検出処理について説明する。
【００７２】
本実施の形態では、演算処理部５６は、反射光に含まれる検知光の光エネルギーＰｄと、参照光の光エネルギーＰｒとを比較することで、路面Ｓに含まれる成分量を検出する。なお、光エネルギーＰｄは、第一受光部３３から出力される第一電気信号の強度に対応し、光エネルギーＰｒは、第二受光部４３から出力される第二電気信号の強度に対応する。
【００７３】
光エネルギーＰｄは、次の（式３）で表される。
【００７４】
（式３）  Ｐｄ＝Ｐｄ０×Ｇｄ×Ｒｄ×Ｔｄ×Ａａｄ×Ｉｖｄ
【００７５】
ここで、Ｐｄ０は、光源２２が発した光のうち、検知光をなす第一波長帯の光の光エネルギーである。Ｇｄは、第一波長帯の光の第一受光部３３に対する結合効率（集光率）である。具体的には、Ｇｄは、光源２２が発した光のうち、路面Ｓで拡散反射される成分の一部（すなわち、反射光に含まれる検知光）になる部分の割合に相当する。
【００７６】
Ｒｄは、路面Ｓによる検知光の反射率である。Ｔｄは、第一バンドパスフィルタ３２により検知光の透過率である。Ｉｖｄは、第一受光部３３における反射光に含まれる検知光に対する受光感度である。
【００７７】
Ａａｄは、路面Ｓに含まれる成分（水分）による検知光の吸収率あり、次の（式４）で表される。
【００７８】
（式４）  Ａａｄ＝１０−αａ×Ｃａ×Ｄ
【００７９】
ここで、αａは、予め定められた吸光係数であり、具体的には、成分（水分）による検知光の吸光係数である。Ｃａは、路面Ｓに含まれる成分（水分）の体積濃度である。Ｄは、検知光の吸収に寄与する成分の厚みの２倍である寄与厚みである。
【００８０】
より具体的には、水分が均質に分散した路面Ｓでは、光が路面Ｓに入射し、反射して路面Ｓから出射する場合において、Ｃａは、路面Ｓの成分に含まれる体積濃度に相当する。また、Ｄは、反射して路面Ｓから出射するまでの光路長に相当する。例えば、Ｃａは、路面Ｓを覆っている液相に含まれる水分の濃度である。また、Ｄは、路面Ｓを覆っている液相の平均的な厚みとして換算される寄与厚みである。
【００８１】
したがって、αａ×Ｃａ×Ｄは、路面Ｓに含まれる成分量（水分量）に相当する。以上のことから、路面Ｓに含まれる水分量に応じて、第一電気信号の強度に相当する光エネルギーＰｄが変化することが分かる。なお、水分と比べて湿気の吸光度は極端に小さいので、無視することができる。
【００８２】
同様に、第二受光部４３に入射する参照光の光エネルギーＰｒは、次の（式５）で表される。
【００８３】
（式５）  Ｐｒ＝Ｐｒ０×Ｇｒ×Ｒｒ×Ｔｒ×Ｉｖｒ
【００８４】
本実施の形態では、参照光は、路面Ｓに含まれる成分によって実質的には吸収されないとみなすことができるので、（式３）と比較して分かるように、水分による吸収率Ａａｄに相当する項は（式５）には含まれていない。
【００８５】
（式５）において、Ｐｒ０は、光源２２が発した光のうち、参照光をなす第二波長帯の光の光エネルギーである。Ｇｒは、光源２２が発した参照光の第二受光部４３に対する結合効率（集光率）である。具体的には、Ｇｒは、参照光のうち、路面Ｓで拡散反射される成分の一部（すなわち、反射光に含まれる参照光）になる部分の割合に相当する。Ｒｒは、路面Ｓによる参照光の反射率である。Ｔｒは、第二バンドパスフィルタ４２による参照光の透過率である。Ｉｖｒは、第二受光部４３の反射光に対する受光感度である。
【００８６】
本実施の形態では、光源２２から照射される光、つまり、検知光と参照光とは、同軸かつ同スポットサイズで照射されるため、検知光の結合効率Ｇｄと参照光の結合効率Ｇｒとは略等しくなる。また、検知光と参照光とはピーク波長が比較的近いので、検知光の反射率Ｒｄと参照光の反射率Ｒｒとが略等しくなる。
【００８７】
したがって、（式３）と（式５）との比（信号比）を取ることにより、次の（式６）が導き出される。
【００８８】
（式６）  Ｐｄ／Ｐｒ＝Ｚ×Ａａｄ
【００８９】
ここで、Ｚは、定数項であり、（式７）で示される。
【００９０】
（式７）  Ｚ＝（Ｐｄ０／Ｐｒ０）×（Ｔｄ／Ｔｒ）×（Ｉｖｄ／Ｉｖｒ）
【００９１】
光エネルギーＰｄ０及びＰｒ０はそれぞれ、光源２２の初期出力として予め定められている。また、透過率Ｔｄ及び透過率Ｔｒはそれぞれ、第一バンドパスフィルタ３２及び第二バンドパスフィルタ４２の透過特性により予め定められている。受光感度Ｉｖｄ及び受光感度Ｉｖｒはそれぞれ、第一受光部３３及び第二受光部４３の受光特性により予め定められている。したがって、（式７）で示されるＺは、定数とみなすことができる。
【００９２】
演算処理部５６は、第一電気信号に基づいて検知光の光エネルギーＰｄを算出し、第二電気信号に基づいて参照光の光エネルギーＰｒを算出する。具体的には、第一電気信号の信号レベル（電圧レベル）が光エネルギーＰｄに相当し、第二電気信号の信号レベル（電圧レベル）が光エネルギーＰｒに相当する。
【００９３】
したがって、演算処理部５６は、（式６）に基づいて、路面Ｓに含まれる水分の吸収率Ａａｄを算出することができる。これにより、演算処理部５６は、（式４）に基づいて水分量を算出することができる。
【００９４】
ここで、水分量センサ１は、例えば１００ｍｓｅｃなどの微小な時間間隔で路面Ｓに対して光を照射して、その都度路面Ｓに対する第一電気信号及び第二電気信号の信号比を求めている。このため、第一状態の時間帯及び第二状態の時間帯では、それぞれひとつの時間帯内において複数回、信号比が求められる。上述したように、第二状態の時間帯での第一電気信号と第二電気信号を用いると不正確な値となってしまうので、第一状態の時間帯での信号比のみを用いて水分量を検出する。具体的には、演算処理部５６は、一回の第一状態の時間帯内で得られた複数の信号比の平均値に基づいて、水分量を検出している。これにより、検出した水分量の確度を高めることができる。
【００９５】
なお、空間３には湿気（水蒸気）も存在しているが、水蒸気によって検知光及び参照光が吸収される場合も想定される。この水蒸気による吸収分をキャンセルするように第一電気信号及び第二電気信号を補正する補正部を信号処理回路５０に設けてもよい。
【００９６】
［路面状態検出装置の動作］
次いで、路面状態検出装置１００の動作について説明する。まず制御部１２０は、水分量センサ１を制御して、路面Ｓ上の水分量を検出させる。このとき、水分量センサ１の演算処理部５６は、第一状態となる毎に、当該第一状態の時間帯内で平均化した水分量を求めている。また、演算処理部５６は、検出した水分量と、範囲外時間帯と、危険度テーブルとに基づいて、路面Ｓ上の危険度を判断する。一方、演算処理部５６は、温度テーブルと、所定の時間内における範囲外時間帯の頻度と、温度センサ６０の検出した温度とに基づいて、路面Ｓ上の温度を推定する。また、演算処理部５６は、推定した路面Ｓ上の温度に基づいて、路面Ｓに含まれる水の状態を判断する。演算処理部５６は、路面Ｓ上の危険度と、水の状態とを制御部１２０に出力する。
【００９７】
制御部１２０は、表示部１１０を制御して、水分量センサ１で検出された水分量に基づく情報を表示部１１０に表示させる。水分量に基づく情報には、路面Ｓ上の危険度、水の状態、これらに基づき決定された表示内容などが含まれる。具体的には、演算処理部５６の判断結果が、水の状態「固体」、危険度「高い」である場合には、制御部１２０は、例えば「路面凍結中。速度落とせ。」などと注意喚起の表示を表示部１１０に表示させる。演算処理部５６の判断結果が、水の状態「液体」、危険度「高い」である場合には、制御部１２０は、例えば「速度落とせ。」などと注意喚起の表示を表示部１１０に表示させる。演算処理部５６の判断結果が、危険度「低い」である場合には、制御部１２０は、表示部１１０に注意喚起の表示を行わせない。なお、水分量センサ１で検出された水分量を表示部１１０に表示させてもよい。
【００９８】
［効果など］
以上のように、本実施の形態によれば、路面Ｓに対して光を発し、当該路面Ｓからの反射光に基づいて路面Ｓの水分量を検出する水分量センサ１であって、水による吸収が所定値よりも大きな第一波長帯を含む検知光と、水による吸収が所定値以下である第二波長帯を含む参照光とを、光として路面Ｓに向けて発する発光部２０と、路面Ｓによって反射された検知光を受光し、第一電気信号に変換する第一受光部３３と、路面Ｓによって反射された参照光を受光し、第二電気信号に変換する第二受光部４３と、第一電気信号及び第二電気信号の信号比に基づいて、路面Ｓが含む水分量を検出する演算処理部５６と、を備え、演算処理部５６は、第一電気信号及び第二電気信号の少なくとも一方の信号強度が、基準値を基準とした所定の範囲内にある場合の信号比に基づいて、水分量を検出する。
【００９９】
これによれば、車両Ｖの通過の影響で、所定の範囲内に収まらなかった信頼性の低い信号比を排除することができる。これにより、水分量の検出には、所定の範囲内に収まった信頼性の高い信号比を用いることができる。したがって、路面Ｓ上を移動する車両Ｖの影響を抑制して、検出結果の正確性を高めることができる。
【０１００】
また、演算処理部５６は、第一電気信号及び第二電気信号の少なくとも一方の信号強度が、所定の範囲内にある場合の信号比の平均値に基づいて、水分量を検出する。
【０１０１】
これによれば、演算処理部５６は、第一状態の時間帯内で得られた複数の信号比の平均値に基づいて、水分量を検出しているので、検出した水分量の確度を高めることができる。
【０１０２】
また、演算処理部５６は、第二電気信号の信号強度が所定の範囲内にある場合の信号比に基づいて、前記水分量を検出する。
【０１０３】
これによれば、水の影響を受けにくい参照光を起因とした第二電気信号の信号強度が所定の範囲内にある場合の信号比に基づいて、水分量を検出することができる。
【０１０４】
また、演算処理部５６には、第一電気信号及び第二電気信号の少なくとも一方の信号強度が所定の範囲外となる範囲外時間帯と水分量との関係から路面Ｓ上の危険度を判断するための危険度テーブルが備えられており、演算処理部５６は、範囲外時間帯を算出して、当該範囲外時間帯と、検出した水分量と、危険度テーブルとに基づいて、危険度を判断する。
【０１０５】
これによれば、水分量と範囲外時間帯とに基づいて、路面Ｓに対する車両Ｖの現在の危険度を判断することができる。
【０１０６】
また、水分量センサ１の周囲の温度を検出する温度センサ６０を備え、演算処理部５６には、第一電気信号及び第二電気信号の少なくとも一方の信号強度が、所定の時間内において所定の範囲外となる頻度と温度との関係から路面Ｓ上の温度を判断するための温度テーブルが備えられており、演算処理部５６は、頻度を算出して、当該頻度と、温度センサが検出した温度と、温度テーブルとに基づいて、路面Ｓ上の温度を推定する。
【０１０７】
これによれば、前記頻度と、温度センサが検出した水分量センサ１の周囲の温度とに基づいて、路面Ｓ上の温度を推定することができる。このため、例えば、赤外線温度センサなどの非接触式の温度センサを採用した場合と比べても、コストを抑制することができる。なお、路面Ｓの温度を検出するために、非接触式の温度センサを採用してもよい。
【０１０８】
また、演算処理部５６は、推定した路面Ｓ上の温度に基づいて、当該路面Ｓに含まれる水の状態を判断する。
【０１０９】
これによれば、推定した路面Ｓ上の温度に基づいて、路面Ｓに含まれる水が、液体であるか固体であるかを判断することができる。したがって、路面Ｓの滑りやすさを判断することできる。
【０１１０】
また、本実施の形態に係る路面状態検出装置１００は、上記の水分量センサ１と、水分量センサ１で検出された水分量に基づく情報を表示する表示部１１０とを備えている。
【０１１１】
これによれば、表示部１１０から水分量に基づく情報を報知することができる。したがって、報知された人は、水分量に関する対策を講じやすくなる。
【０１１２】
（その他）
以上、本発明に係る水分量センサ１について、上記の実施の形態に基づいて説明したが、本発明は、上記の実施の形態に限定されるものではない。
【０１１３】
例えば、上記実施の形態では、光源２２がＬＥＤ光源である場合を例示したが、光源は半導体レーザ素子又は有機ＥＬ素子などでもよい。
【０１１４】
また、上記実施の形態では、検知光をなす第一波長帯と参照光をなす第二波長帯とを含む連続した光を１つの光源２２が発する場合を例示して説明した。しかしながら、複数の光源を設け、１つの光源が検知光を発し、他の光源が参照光を発するようにしてもよい。
【０１１５】
また、上記実施の形態では、信号処理回路５０に備わる光源制御部５１、第一信号処理部５４、第二信号処理部５５及び演算処理部５６がそれぞれ専用のマイクロコントローラからなる場合を例示して説明したが、信号処理回路は、全体として１つのマイクロコントローラで実現されてもよい。
【０１１６】
また、上記実施の形態では、車道に対して路面状態検出装置１００が設置された場合を例示した。しかし、路面状態検出装置１００は、それ以外の施設に設置することも可能である。例えば、ショッピングモールなどの商業施設に設置することも可能である。商業施設内においては、雨、雪以外にも、アトラクションとして散布された水、人物がこぼした飲料などによって、路面の状態が変動する。このように、商業施設内に路面状態検出装置１００を設置すれば、商業施設内にいる人々に路面状態を報知することが可能である。また、路面上を移動する人物、ショッピングカートなどが水分量センサ１からの光を遮ることがある。この場合においても、上記の路面状態検出装置１００であれば、水分量センサ１の直下を通過する移動体の影響を抑制しているので、路面状態を正確に判断することが可能である。
【０１１７】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１１８】
１  水分量センサ
２０  発光部
３３  第一受光部
４３  第二受光部
５６  演算処理部
６０  温度センサ
１００  路面状態検出装置
１１０  表示部
Ｓ  路面
【図１】
2019044252.tif 000003
【図２】
2019044252.tif 000004
【図３】
2019044252.tif 000005
【図４】
2019044252.tif 000006
【図５】
2019044252.tif 000007
【図６】
2019044252.tif 000008
【図７】
2019044252.tif 000009
【図８】
2019044252.tif 000010
【図９】
2019044252.tif 000011
【国際調査報告】
2019044252.tif 000012
2019044252.tif 000013
2019044252.tif 000014
2019044252.tif 000015